(57)【要約】【課題】オーディオトラックを効率的に判別し、漏れなく再生することができるＣＤ再生装置を提供する。【解決手段】ＣＤ再生装置において、ＣＤのＴＯＣ情報を取得するＴＯＣ情報取得手段（ステップ３１）と、ＴＯＣ情報取得手段によって取得されたＴＯＣ情報により、トラックに記録されているデータがデジタルオーディオデータでないとされている複数のトラックが存在する場合、該複数のトラックのうちの最初及び最後のもののデータがデジタルオーディオデータであるかどうかについて、該ＴＯＣ情報が示す内容と、該トラックの実際のデータが示す内容とが一致するかどうかを判別する判別手段（ステップ３４、３５）とを設ける。【選択図】図３
2010186528.tif 000002
【特許請求の範囲】
【請求項１】
ＣＤのＴＯＣ情報を取得するＴＯＣ情報取得手段と、
前記ＴＯＣ情報取得手段によって取得されたＴＯＣ情報により、トラックに記録されているデータがデジタルオーディオデータでないとされている複数のトラックが存在する場合、該複数のトラックの最初及び最後のトラックのデータがデジタルオーディオデータであるかどうかについて、該ＴＯＣ情報が示す内容と、該トラックの実際のデータが示す内容とが一致するかどうかを判別する第１の判別手段とを備えるＣＤ再生装置。
【請求項２】
前記判別手段により、前記最初及び最後のトラックの双方について、前記ＴＯＣ情報が示す内容と該トラックの実際のデータが示す内容とが一致すると判別された場合、前記ＴＯＣ情報によりデジタルオーディオデータでないとされているトラックは再生しないように制御する制御手段を有する請求項１に記載のＣＤ再生装置
【請求項３】
前記判別手段により、前記最初及び最後のトラックの双方又は一方について、前記ＴＯＣ情報が示す内容と該トラックの実際のデータが示す内容とが一致しないと判別された場合、該双方のトラックのデータがいずれもデジタルオーディオデータであるかどうかを判別する第２の判別手段を備える請求項１に記載のＣＤ再生装置。
【請求項４】
前記第２の判別手段により、前記双方のトラックのデータのいずれもがデジタルオーディオデータであると判別された場合には、すべてのトラックをデジタルオーディオデータとして再生する再生手段を有する請求項３に記載のＣＤ再生装置。
【請求項５】
前記第２の判別手段により、前記双方のトラックのデータのうちの一方のみがデジタルオーディオデータであると判別された場合には、前記ＴＯＣ情報によりデジタルオーディオデータでないとされているトラックは再生しないように制御する制御手段を有する請求項３に記載のＣＤ再生装置。
【請求項６】
前記ＴＯＣ情報によりデジタルオーディオデータでないとされているトラックが１つの場合には、該トラックのデータがデジタルオーディオデータであるかどうかについて、前記ＴＯＣ情報が示す内容と該トラックの実際のデータが示す内容とが一致するかどうかを判別する第３の判別手段を備える請求項１に記載のＣＤ再生装置。
【請求項７】
前記第３の判別手段により、前記ＴＯＣ情報が示す内容と該トラックの実際のデータが示す内容とが一致しないと判別された場合には、前記ＣＤのすべてのトラックをデジタルオーディオデータとして再生する請求項６に記載のＣＤ再生装置。
【請求項８】
請求項１〜７のいずれかのＣＤ再生装置における各手段としてコンピュータを機能させるプログラム。
【請求項９】
ＣＤのＴＯＣ情報を取得するＴＯＣ情報取得工程と、
前記ＴＯＣ情報取得工程によって取得されたＴＯＣ情報により、トラックに記録されているデータがデジタルオーディオデータでないとされている複数のトラックが存在する場合、該複数のトラックのうちの最初及び最後のもののデータがデジタルオーディオデータであるかどうかについて、該ＴＯＣ情報が示す内容と、該トラックの実際のデータが示す内容とが一致するかどうかを判別する判別工程とを備えるＣＤ再生方法。
【発明の詳細な説明】
【技術分野】
【０００１】
本発明は、ＣＤを再生するＣＤ再生装置、該装置における各手段としてコンピュータを機能させるプログラム、及び該装置に適したＣＤ再生方法に関する。
【背景技術】
【０００２】
ＣＤ再生装置において、ＲＯＭトラックについては再生を行わない仕様を有する場合、仕様に従ったＣＤの再生を行う方法としては、従来、次の３つの方法が主に使用されている。なおＲＯＭトラックとは、ＲＯＭデータが記録されたトラックである。ＲＯＭデータとしては、圧縮オーディオデータも該当する。
【０００３】
第１の方法は、ＴＯＣのフォーマット情報に基づいて再生を行う方法である。フォーマット情報とは、ＣＤの各トラックがオーディオトラックであるか又はＲＯＭトラックであるかを示す情報である。この方法においては、フォーマット情報によりオーディオトラックであるとされているトラックのみを再生する。ＲＯＭトラックとされているトラックについては再生を行うことなくスキップし、トラックに関する表示も行わない。なお、ＲＯＭトラック及びオーディオトラックが混在するＣＤを再生する際に、ＴＯＣのフォーマット情報に基づいてオーディオトラックのみを再生する技術については、たとえば、特許文献１において提案されている。
【０００４】
第２の方法は、ＴＯＣデータ及びトラック上のデータに基づいて、再生対象とするトラックを判断し、再生を行う方法である。この方法においては、ＣＤのＴＯＣデータを読み込む際に、すべてのトラックにアクセスして各トラックのフォーマットを調査し、この調査結果をも考慮してオーディオトラックであると判定したトラックを再生する。
【０００５】
第３の方法は、ＴＯＣデータによりＲＯＭトラックであるとされているトラックが存在する場合でも、すべてのトラックを再生対象とする方法である。ただし、各トラックの再生に際し、トラックの先頭においてフォーマットを確認し、ＲＯＭトラックであることが判明した場合にはそのトラックをミュートし、スキップする。なお、ＲＯＭトラックをミュートする技術については、たとえば、特許文献２において提案されている。
【先行技術文献】
【特許文献】
【０００６】
【特許文献１】特開平５−２５８４６１号公報
【特許文献２】特許第２７９９０９７号公報
【発明の概要】
【発明が解決しようとする課題】
【０００７】
しかしながら、上述の第１の方法によれば、各トラックについてのＴＯＣデータによるフォーマットと実際のフォーマットとが一致している場合は問題ないが、両者が異なる場合には真に仕様に従った再生を行うことができない。たとえば、コピーを防止するようにしたコピーコントロールＣＤ（ＣＣＣＤ）の場合には、実際にはオーディオトラックであっても、ＴＯＣデータにおいてはＲＯＭトラックであるとされている場合がある。この場合、ＲＯＭトラックとされているトラックは再生しないので、実際にはオーディオトラックであっても、再生することができない。
【０００８】
たとえば、ＴＯＣデータによるフォーマット及び実際のトラックデータのフォーマットが図２（ｅ）で示されるような構成のディスクでは、ＴＯＣデータによりすべてのトラック１〜５がＲＯＭトラックであるとされているので、実際にはトラック１〜４はオーディオトラックであるにもかかわらず、トラック１〜４はすべて再生されない。また、図２（ｆ）の構成のディスクにおいても、ＴＯＣデータによりトラック２及び４がＲＯＭトラックであるとされているので、トラック２及び４は実際にはオーディオトラックであるのに再生することができない。また、図２（ｇ）の構成のディスクにおいても、ＴＯＣデータによりトラック４及び５がＲＯＭトラックであるとされているので、トラック４及び５は実際にはオーディオトラックであるのに再生することができない。
【０００９】
一方、上述の第２の方法によれば、実際のトラックのフォーマットを知ることはできるが、ＴＯＣデータの読込み時にすべてのトラックにアクセスするようにしているので、多数のトラック（最大９９トラック）が存在する場合、再生開始前のフォーマット情報の取得に長時間を必要とする。このことは、図２（ａ）〜（ｈ）に示すすべての構成のディスクを再生する場合について該当する。
【００１０】
他方、上述第３の方法によれば、これによってもディスク上に存在するすべてのオーディオトラックを再生することができるが、ＲＯＭトラックについても、オーディオトラックと区別なくトラックの１つとしてそれに関するトラック番号やタイトル等の情報が表示されるので、ユーザは情報が表示された各トラックがオーディオトラックであるか又はＲＯＭトラックであるかについては、各トラックを指示して再生を試みなければ判別することができない。たとえば図２（ｃ）〜（ｅ）及び（ｈ）の構成のディスクでは、ＲＯＭトラックについても、１つのトラックとして認識され、情報が表示されてしまう。たとえば図２（ｃ）のディスクの場合、トラック５について、情報は表示されるが、再生を試みても再生は行われない。図２（ｄ）のディスクの場合、トラック１及び４について、情報は表示されるが、再生を試みても再生は行われない。図２（ｅ）のディスクの場合、トラック５について、情報は表示されるが、再生を試みても再生は行われない。図２（ｈ）のディスクの場合、トラック４及び５について、情報は表示されるが、再生を試みても再生は行われない。
【００１１】
以上のように、第１の方法によればすべてのオーディオトラックを漏れなく再生することができない場合があり、第２の方法によればＴＯＣ読込み時における実際のフォーマット情報の取得に長時間を必要とし、第３の方法によれば選択しても再生されないＲＯＭトラックについてもトラック情報が表示されるという問題がある。
【００１２】
本発明の目的は、かかる従来技術の問題点に鑑み、ＣＤ上のオーディオトラックを効率的に判別し、漏れなく再生することができるＣＤ再生装置を提供することにある。
【課題を解決するための手段】
【００１３】
この目的を達成するため、第１の発明に係るＣＤ再生装置は、ＣＤのＴＯＣ情報を取得するＴＯＣ情報取得手段と、前記ＴＯＣ情報取得手段によって取得されたＴＯＣ情報により、トラックに記録されているデータがデジタルオーディオデータでないとされている複数のトラックが存在する場合、該複数のトラックの最初及び最後のトラックのデータがデジタルオーディオデータであるかどうかについて、該ＴＯＣ情報が示す内容と、該トラックの実際のデータが示す内容とが一致するかどうかを判別する第１の判別手段とを備える。
【００１４】
第２の発明に係るＣＤ再生装置は、第１発明において、前記判別手段により、前記最初及び最後のトラックの双方について、前記ＴＯＣ情報が示す内容と該トラックの実際のデータが示す内容とが一致すると判別された場合、前記ＴＯＣ情報によりデジタルオーディオデータでないとされているトラックは再生しないように制御する制御手段を有する。
【００１５】
第３の発明に係るＣＤ再生装置は、第１発明において、前記判別手段により、前記最初及び最後のトラックの双方又は一方について、前記ＴＯＣ情報が示す内容と該トラックの実際のデータが示す内容とが一致しないと判別された場合、該双方のトラックのデータがいずれもデジタルオーディオデータであるかどうかを判別する第２の判別手段を備える。
【００１６】
第４の発明に係るＣＤ再生装置は、第３発明において、前記第２の判別手段により、前記双方のトラックのデータのいずれもがデジタルオーディオデータであると判別された場合には、すべてのトラックをデジタルオーディオデータとして再生する再生手段を有する。
【００１７】
第５の発明に係るＣＤ再生装置は、第３発明において、前記第２の判別手段により、前記双方のトラックのデータのうちの一方のみがデジタルオーディオデータであると判別された場合には、前記ＴＯＣ情報によりデジタルオーディオデータでないとされているトラックは再生しないように制御する制御手段を有する。
【００１８】
第６の発明に係るＣＤ再生装置は、第１発明において、前記ＴＯＣ情報によりデジタルオーディオデータでないとされているトラックが１つの場合には、該トラックのデータがデジタルオーディオデータであるかどうかについて、前記ＴＯＣ情報が示す内容と該トラックの実際のデータが示す内容とが一致するかどうかを判別する第３の判別手段を備える。
【００１９】
第７の発明に係るＣＤ再生装置は、第６発明において、前記第３の判別手段により、前記ＴＯＣ情報が示す内容と該トラックの実際のデータが示す内容とが一致しないと判別された場合には、前記ＣＤのすべてのトラックをデジタルオーディオデータとして再生する。
【００２０】
第８の発明に係るプログラムは、第１〜第７の発明に係るいずれかのＣＤ再生装置における各手段としてコンピュータを機能させる。
【００２１】
第９の発明に係るＣＤ再生方法は、ＣＤのＴＯＣ情報を取得するＴＯＣ情報取得工程と、前記ＴＯＣ情報取得工程によって取得されたＴＯＣ情報により、トラックに記録されているデータがデジタルオーディオデータでないとされている複数のトラックが存在する場合、該複数のトラックのうちの最初及び最後のもののデータがデジタルオーディオデータであるかどうかについて、該ＴＯＣ情報が示す内容と、該トラックの実際のデータが示す内容とが一致するかどうかを判別する判別工程とを備える。
【発明の効果】
【００２２】
本発明によれば、ＣＤ上のオーディオトラックを効率的に判別し、漏れなく再生することができる。
【図面の簡単な説明】
【００２３】
【図１】本発明の一実施形態に係るＣＤ再生装置の構成を示すブロック図である。
【図２】現状で認識されているＣＤのトラックフォーマットに関する各種構成を示す図である。
【図３】図１の装置におけるＣＤのトラックフォーマットに関する構成を特定する処理を示すフローチャートである。
【図４】図３の処理の結果に基づいて判別されたオーディオトラックを再生する処理を示すフローチャートである。
【図５】未知のトラックフォーマットに関する構成を有するコピーコントロールＣＤの一例を示す図である。
【発明を実施するための形態】
【００２４】
図１は本発明の一実施形態に係るＣＤ再生装置の構成を示すブロック図である。同図に示すように、この装置は、装置の各部を制御するマイコン１、装填されたＣＤに記録されたデータを読み出して出力するＣＤメカ部２、ＣＤメカ部２からのデジタル信号に対し所定の信号処理を施してデジタル音声信号を出力するＤＳＰ（デジタル・シグナル・プロセッサ）３、ＤＳＰ３からのデジタル音声信号をアナログ音声信号に変換するＤＡコンバータ４、ＤＡコンバータ（デジタルアナログコンバータ）４からのアナログ音声信号を増幅するアンプ部５、アンプ部５からの音声信号を音響信号に変換するスピーカ６、マイコン１に対して操作指示を与えるための操作部７、及びマイコン１からの画像データに基づいて画像表示を行う表示部８を備える。
【００２５】
システムマイコン１は、操作部７を介して与えられる指示に応じて、ＣＤメカ部２や、ＤＳＰ３、ＤＡコンバータ４を制御し、ＣＤメカ部２に装填されたＣＤについての再生を行い、再生音を出力する。その際、ＴＯＣデータにおけるフォーマット情報のみを使用するのではなく、１つ又は２つのトラックについての実際のフォーマットを追加的に確認することにより、各トラックのフォーマットを判定し、ＲＯＭトラックをスキップして再生を行うようにしている。
【００２６】
図２はＣＤの各種構成例を示す。現状では同図（ａ）〜（ｈ）の７種の構成が確認されている。ここで、同図ではトラック数が５トラックのみとなっているが、特にトラック数を限定するものではない。同図（ａ）はＤＡ（デジタルオーディオデータマルチセッション）ディスクの構成例を示している。ＤＡディスクでは、すべてのトラックがオーディオトラックであり、ＴＯＣデータもその旨を示す。同図（ａ）の例では、「セッション」欄に示すように第１及び第２のセッションを備えている。第１セッションとしては「トラックＮｏ．」欄に示すようにトラック１〜４が記録され、第２セッションとしてはトラック５が記録されている。また、「ＴＯＣデータ」欄に示すように、ＴＯＣのフォーマット情報によりすべてのトラック１〜５はオーディオトラックであるとされている。また「実際のトラックデータ」欄に示すように、トラック１〜５の実際のトラックもオーディオトラックのみとなっている。
【００２７】
同図（ｂ）はＲＯＭ（ＲＯＭマルチセッション）ディスクの構成例を示している。ＲＯＭディスクではすべてのトラックがＲＯＭトラックであり、ＴＯＣデータもその旨を示している。同図（ｂ）の例では、第１〜第５のセッションが設けられ、各セッションではトラック１〜５の１つずつのトラックが記録されている。ＴＯＣデータはすべてのトラック１〜５がＲＯＭトラックであることを示しており、トラック１〜５の実際のトラックデータもＲＯＭトラックとなっている。
【００２８】
同図（ｃ）はＣＤエクストラの構成例を示している。ＣＤエクストラはオーディオトラックからなるセッションと、ＲＯＭトラックからなるセッションで構成される。ＴＯＣデータによる各トラックのフォーマットと、実際のトラックデータのフォーマットに相違はない。同図（ｃ）の例では、第１及び第２のセッションが設けられ、第１セッションではトラック１〜４のオーディオトラックが記録され、第２セッションではトラック５のＲＯＭトラックが記録されている。
【００２９】
同図（ｄ）はミックスモードＣＤ（マルチ）の構成例を示している。ミックスモードＣＤでは各セッションにおいて、最初のトラックがＲＯＭトラックであり、２つ目以降のトラックがオーディオトラックとなっている。ＴＯＣデータは各トラックのフォーマットを正しく示す。同図（ｄ）の例では、第１及び第２のセッションが設けられている。第１セッションでは、最初のトラック１としてＲＯＭトラックが記録され、次のトラック２及び３としてオーディオトラックが記録されている。第２セッションでは、最初のトラック４としてＲＯＭトラックが記録され、次のトラック５としてオーディオトラックが記録されている。
【００３０】
同図（ｅ）はコピーコントロールＣＤパターン１のディスク構成例を示している。このディスクでは、実際のトラックのフォーマットは図２（ｃ）のＣＤエクストラの場合と同様であるが、ＴＯＣデータではすべてのトラックがＲＯＭデータとなっており、オーディオトラックからなるセッションについては、ＴＯＣデータは実際とは異なるフォーマットを示している。同図（ｅ）の例では、トラック１〜４のオーディオトラックからなる第１セッション及びトラック５のＲＯＭトラックからなる第２セッションが記録されている。ＴＯＣデータはトラック１〜４についてはＲＯＭトラックであることを示しており、実際のフォーマットを示していない。トラック５については実際のフォーマットであるＲＯＭトラックであることを示している。
【００３１】
同図（ｆ）はコピーコントロールＣＤパターン２、同図（ｇ）はコピーコントロールＣＤパターン３のディスク構成例を示している。同図（ｆ）と（ｇ）は、実際にはオーディオトラックしか存在しないＣＤであるにも関わらず、ＴＯＣデータ上ではオーディオトラックとＲＯＭトラックが混在するというコピーコントロールＣＤの例を示している。この両図に示されているＴＯＣデータ上のＲＯＭトラックの位置は特に限定されるものではない。
【００３２】
同図（ｈ）はコピーコントロールＣＤパターン４のディスク構成例を示している。このディスクでは、オーディオトラックからなる第１セッション及び複数のＲＯＭトラックからなる第２セッションが記録されている。ＴＯＣデータが示すフォーマットと実際のトラックデータのフォーマットに相違はない。同図（ｈ）の例では、第１セッションにおいてトラック１〜３のオーディオトラックが記録され、第２セッションにおいてトラック４及び５のＲＯＭトラックが記録されている。
【００３３】
図２によれば、ＴＯＣデータにより全トラックがオーディオトラックであるとされている場合には、そのディスクは同図（ａ）のＤＡディスクであることがわかる。また、ＴＯＣ上でＲＯＭトラックとなっているトラックが存在し、その暫定ＲＯＭトラック（ＴＯＣ上でＲＯＭトラックとなっているトラック、以下同様）が複数であれば最初と最後の暫定ＲＯＭトラック、一つのみであればその一つの暫定ＲＯＭトラックについて、実際においてもＲＯＭトラックであるという真正条件が満たされる場合には、そのディスクは同図（ｂ）のＲＯＭディスク、同図（ｃ）のＣＤエクストラ、同図（ｄ）のミックスモードＣＤ、又は同図（ｈ）のコピーコントロールＣＤパターン４のいずれかであることがわかる。この場合、さらに、ＴＯＣデータによりすべてのトラックがＲＯＭトラックであるとされている場合には、そのディスクは、同図（ｂ）のＲＯＭディスクであることがわかる。
【００３４】
一方、上述段落００３３の真正条件が満たされない場合、すなわち前記双方又は一つの暫定ＲＯＭトラックの実際のフォーマットがＴＯＣデータと異なる場合には、そのディスクは、同図（ｅ）のコピーコントロールＣＤパターン１、同図（ｆ）のコピーコントロールＣＤパターン２、又は同図（ｇ）のコピーコントロールＣＤパターン３のいずれかであることがわかる。この場合、前記双方又は一つの暫定ＲＯＭトラックがいずれも実際にはオーディオトラックであれば、そのディスクは同図（ｆ）のコピーコントロールＣＤパターン２又は同図（ｇ）のコピーコントロールＣＤパターン３であることがわかる。
【００３５】
図３はこの点に着目してＣＤが図２（ａ）〜（ｆ）のどの構成を有するものであるかを特定する処理を示すフローチャートである。この処理はマイコン１により所定のプログラムに従って行われる。処理の対象となるＣＤはＣＤメカ部２に装填されたものである。
【００３６】
処理を開始すると、マイコン１はまず、ステップ３１において、ＣＤメカ部２により、ＣＤからＴＯＣデータを読み出してＣＤの各トラックについてのフォーマット情報を取得する。次に、ステップ３２において、取得したフォーマット情報によりＣＤのすべてのトラックがオーディオトラックとされているか又は一部はＲＯＭトラックとされているかを判定する。すべてのトラックがオーディオトラックであるとされていると判定した場合には、ステップ３３において、ＣＤはすべてのトラックがオーディオトラックである図２（ａ）のＤＡ（ＤＡマルチセッション）ディスクであるとみなし、処理を終了する。この場合、そのＣＤはすべてのトラックがオーディオトラックとして再生されることになる。
【００３７】
ステップ３２において一部はＲＯＭトラックであるとされていると判定した場合には、ステップ３４において、ＣＤのＴＯＣデータ（フォーマット情報）によりＲＯＭトラックとされている暫定ＲＯＭトラックが実際においてもＲＯＭトラックであるかどうかを調べる。すなわちＴＯＣ上の暫定ＲＯＭトラックが複数ある第１の場合には、ＴＯＣ上の最初と最後の暫定ＲＯＭトラックの双方にアクセスし、両トラックが真にＲＯＭトラック（ＴＯＣの情報とデータが一致しＲＯＭトラックと判別された状態、以下同様）であるかどうかを調べる。ＴＯＣ上の暫定ＲＯＭトラックが一つのみである第２の場合には、その一つの暫定ＲＯＭトラックにアクセスし、該トラックが真にＲＯＭトラックであるかどうかを調べる。
【００３８】
トラックがＲＯＭトラックであるかどうかの調査は、該トラックのデータの一部を読み出し、該データにおけるサブコードＱのコントロールビット情報に基づいて行うことができる。この調査の結果、第１の場合において両トラックとも真のＲＯＭデータ（データ上ＲＯＭデータ)であることが判明した場合、又は第２の場合において該トラックが真のＲＯＭトラックであることが判明した場合には、調査結果がＴＯＣデータと一致し、上述の真正条件が満たされたことになる。
【００３９】
次に、ステップ３５において、調査結果がＴＯＣデータと一致するかどうか、つまり上述の真正条件が成立するかどうかを判定する。調査結果がＴＯＣデータと一致すると判定した場合にはステップ３６へ進み、全トラックがＴＯＣデータによりＲＯＭトラックとされている暫定ＲＯＭトラックであるか又は一部のみが暫定ＲＯＭトラックでであるかを判定する。全トラックが暫定ＲＯＭトラックであると判定した場合には、ステップ３７において、ＣＤはすべてのトラックがＲＯＭトラックである図２（ｂ）のＲＯＭ（ＲＯＭマルチセッション）ディスクであるとみなし、処理を終了する。この場合、ＣＤはいずれのトラックについても再生されることはない。
【００４０】
ステップ３６において一部のトラックのみが暫定ＲＯＭトラックであると判定した場合にはステップ３８において、ＣＤは図２（ｃ）のＣＤエクストラ、図２（ｄ）のミックスモードＣＤ（マルチ）、又は図２（ｈ）のコピーコントロールＣＤパターン４であるとみなし、処理を終了する。この場合、ＴＯＣのフォーマット情報に従い、オーディオトラックであるとされているトラックのみが再生される（暫定ＲＯＭトラックは再生しない）ことになる。
【００４１】
一方、ステップ３５において調査結果がＴＯＣデータと一致しないと判定した場合にはステップ３９へ進み、実際のフォーマットを調査した前記双方又は一つの暫定ＲＯＭトラックがいずれもオーディオトラックであるかを判定する。この判定においては、前記第１の場合（ＴＯＣ上の暫定ＲＯＭトラックが複数である場合）における調査結果が両トラックともにオーディオデータであることを示している場合、両トラックがともにオーディオトラックであると判定されることになる。また、前記第２の場合（ＴＯＣ上の暫定ＲＯＭトラックが一つのみである場合）における調査結果が、該一つのトラックがオーディオデータであることを示している場合、該一つのトラックがオーディオトラックであると判定されることになる。これら以外の場合、すなわち前記第１の場合における調査結果が両トラックのうちの一方のみが真のＲＯＭトラックであることを示す場合には一方のみがＲＯＭトラックであると判定される。また、前記第２の場合における調査結果が該一つのトラックが真のＲＯＭトラックであることを示す場合には該一つのトラックがＲＯＭトラックであると判定される。
【００４２】
前記第１の場合において両トラックがともにオーディオトラックであると判定した場合、また前記第２の場合において該一つのトラックがオーディオデータであると判定した場合には、ステップ４０において、ＣＤはすべてのトラックがオーディオデータである図２（ｆ）のコピーコントロールＣＤパターン２又は図２（ｇ）のコピーコントロールＣＤパターン３のディスクであるとみなし、処理を終了する。この場合、すべてのトラックがオーディオトラックとして再生されることになる。
【００４３】
ステップ３９において前記第１の場合における両トラックのうちの一方のみがＲＯＭトラックであると判定した場合には、ステップ４１において、ＣＤは同図（ｅ）のコピーコントロールＣＤパターン１のディスクであるとみなし、処理を終了する。この場合、ＴＯＣデータ及び調査結果のいずれもがＲＯＭデータであることを示しているトラックのみが除外され、他のトラックについては、オーディオトラックとして再生されることになる。
【００４４】
図３の処理によれば、上述従来の第１の方法では不可能であった、ＴＯＣデータによりＲＯＭトラックとされているが実際にはオーディオトラックであるトラックの再生を行うことができる。
【００４５】
また、ＴＯＣデータによりすべてのトラックがオーディオトラックであるとされている場合を除き、ＴＯＣ上でＲＯＭトラックとなっている暫定ＲＯＭトラックが存在する場合、その暫定ＲＯＭトラックが複数であれば最初と最後の暫定ＲＯＭトラック、一つのみであればその一つの暫定ＲＯＭトラックについてのみ真にＲＯＭトラックかどうかを調べることにより、暫定ＲＯＭトラックであっても実際にはオーディオトラックであるトラックを再生することができるようにしたため、上述従来の第２の方法に比べて、真にＲＯＭトラックかどうかを調査する時間を著しく短縮しながら、オーディオトラックを漏れなく再生することができる。
【００４６】
また、上述従来の第３の方法によれば、ＲＯＭトラックについても１つのトラックとしてその情報が表示されるが、図３の処理によれば、ＣＤ全体の再生を開始する前に真のＲＯＭトラックを判別し、それに関する表示を行わないようにすることができる。
【００４７】
図４は図３の処理の結果に基づいて判別されたオーディオトラックを再生する処理を示すフローチャートである。この処理はマイコン１により所定のプログラムに従って行われる。この処理では、再生しようとするＣＤが、図２に示した構成以外の未知のトラックフォーマットに関する構成を有するコピーコントロールＣＤである場合に、ＲＯＭトラックをオーディオトラックであると誤って判別し、再生するのを防止するようにしている。
【００４８】
図５は上記未知の構成のコピーコントロールＣＤの一例を示す。このディスクでは、トラック１〜３からなる第１セッション、及びトラック４〜６からなる第２セッションが記録されている。ＴＯＣデータはすべてのトラック１〜６がＲＯＭトラックであるとしているが、実際のトラック構成は、第１セッションの先頭のトラック１及び第２セッションの先頭のトラック４のみがＲＯＭトラックであり、他のトラックはオーディオトラックとなっている。このＣＤの場合、図３の処理によれば、図２（ｅ）のコピーコントロールＣＤパターン１であると判定されることになる。すなわち、ＴＯＣ上でＲＯＭトラックとなっている暫定ＲＯＭトラックのうちの最初及び最後のトラック１及び６については実際のトラックが調査され、真にＲＯＭトラックであれば、再生が回避されるが、トラック４についてはオーディオトラックであるとみなされて再生されてしまうことになる。
【００４９】
図４の処理では、このようなＲＯＭトラックの誤再生が防止される。すなわち、処理を開始すると、まずステップ４５において、図３の処理の結果に基づきオーディオトラックであるとみなされたトラックについて、ミュートしながら再生を開始し、該トラックのデータにおける最初の所定部分を読み込む。なお、ミュートはＤＡコンバータ４からアンプ部５へオーディオ信号が出力されないようにすることにより行う。
【００５０】
次に、ステップ４６において、読み込んだデータにおけるサブコードＱのコントロールビット情報に基づき、該トラックが本当はＲＯＭトラックであるかどうかを判定する。ＲＯＭトラックではないと判定した場合には、ステップ４７において、ミュートを解除して該トラックの最初から再生を行い、図４の処理を終了する。ＲＯＭトラックであると判定した場合には、ステップ４８において、次のオーディオトラックとみなされたトラックについての再生処理を行うために該トラックへスキップし、図４の処理を終了する。
【００５１】
この再生処理によれば、再生しようとするＣＤが図２で示される形式以外の未知の形式のＣＤであるために、図３の処理の結果に基づいて、ＲＯＭトラックを誤ってオーディオトラックであると判定した場合でも、該ＲＯＭトラックをオーディオトラックとして再生するのを防止することができる。
【００５２】
なお、本発明は上述実施形態に限定されることなく、適宜変形して実施することができる。たとえば、上述においては、図３の処理により、再生しようとするＣＤが図２のいずれの構成に該当するかについての解析を行うようにしているが、この代わりに、ユーザがＣＤの種類を認識している場合には、ＣＤの解析方法を選択することができるようにするとともに、その解析方法の１つとして図３の処理を選択することができるようにしてもよい。たとえば、ＣＤがコピーコントロールＣＤではないことを知っている場合にはＴＯＣデータのみに基づいてディスク構成を判別するモードを選択し、コピーコントロールＣＤであることを知っている場合には図３の処理によりディスク構成を判別するモードを選択することができるようにしてもよい。
【００５３】
また、上述においては、ＣＤのセッション数が複数であるかどうかに関係なく、ＴＯＣ上でＲＯＭトラックとなっている暫定ＲＯＭトラックが存在する場合、その暫定ＲＯＭトラックが複数であればＴＯＣ上の最初の暫定ＲＯＭトラックと最後の暫定ＲＯＭトラック、一つのみであればその一つの暫定ＲＯＭトラックについてのみ実際のフォーマットを確認するようにしているので、現状で認識していない未知のフォーマット構成を有するディスクについては、正確な解析を行うことができない場合がある。たとえば、上述図５のようなマルチセッションのミックスモードＣＤであって、ＴＯＣデータが示すフォーマットと実際のフォーマットとが異なるようなＣＤの場合には、上述のように、ＲＯＭトラックを誤ってオーディオトラックとみなすおそれがある。そこで、マルチセッションのＣＤの場合には、図３のステップ３４の処理をディスク単位ではなくセッション毎に行うようにしてもよい。
【００５４】
つまり、ステップ３４においてはセッション毎に、ＴＯＣ上でＲＯＭトラックとなっている暫定ＲＯＭトラックがセッション内に複数ある場合はその最初と最後の暫定ＲＯＭトラックについて、セッション内に暫定ＲＯＭトラックが一つしかない場合はその一つの暫定ＲＯＭトラックについて、実際のフォーマットを調査する。その後、セッション毎に、ステップ３５〜４１と同様の処理によってオーディオトラックを判別する。
【００５５】
図５の例の場合、第１セッションについては、セッション内における最初及び最後の暫定ＲＯＭトラックであるトラック１及びトラック３について調査が行われる。第２セッションについては、セッション内における最初及び最後の暫定ＲＯＭトラックであるトラック４及びトラック６について調査が行われる。
【００５６】
第１セッションについては、トラック３の調査結果がＴＯＣと一致せず（ステップ３５）、トラック１はオーディオトラックではないので（ステップ３９）、トラック１を除外して再生が行われることになる（ステップ４１）。第２セッションについては、トラック６の調査結果がＴＯＣと一致せず（ステップ３５）、トラック４はオーディオトラックではないので（ステップ３９）、トラック４を除外して再生が行われることになる（ステップ４１）。したがってトラック４がオーディオトラックとして誤再生されることはない。
【００５７】
なお、このようにＴＯＣ上でＲＯＭトラックとなっている暫定ＲＯＭトラックの最初及び最後のトラックについての調査(暫定ＲＯＭトラックが一つしかない場合はその一つの暫定ＲＯＭトラックのみについての調査)をＣＤ毎ではなくセッション毎に行うようにした場合でも、図２のすべての形式のＣＤについて、オーディオトラックの判別を正しく行うことができる。
【符号の説明】
【００５８】
１：マイコン、２：ＣＤメカ部、３：ＤＳＰ、４：ＤＡコンバータ、５：アンプ部、６：スピーカ、７：操作部、８：表示部。
【図１】
2010186528.tif 000003
【図４】
2010186528.tif 000004
【図５】
2010186528.tif 000005
【図２】
2010186528.tif 000006
【図３】
2010186528.tif 000007